(57)【特許請求の範囲】
【請求項１】
被検体にＲＦパルスを送信する送信コイル、
前記被検体からＭＲ信号を受信する受信コイルであって、コンデンサを有するコイルエレメントと、前記コンデンサの両端に接続されたブロッキング回路と、を有する受信コイル、および
電磁誘導によって前記コイルエレメントに電圧を生じさせることにより、前記ブロッキング回路を動作させる電圧誘導手段、
を有するコイルシステム。
【請求項２】
前記電圧誘導手段は電圧誘導コイルである、請求項１に記載のコイルシステム。
【請求項３】
前記受信コイルは、複数の受信コイルエレメントを有し、
前記電圧誘導コイルは、前記複数の受信コイルエレメントに対応する複数の電圧誘導コイルエレメントを有し、
前記複数の電圧誘導コイルエレメントの各々は、前記複数の受信コイルエレメントのうちの対応する受信コイルエレメントに電圧を生じさせる、請求項２に記載のコイルシステム。
【請求項４】
前記複数の受信コイルエレメントのうちの第１の受信コイルエレメントは、第２の受信コイルエレメントの一部と重なるオーバーラップ領域と、前記第２の受信コイルエレメントと重ならない非オーバーラップ領域と、を有しており、
前記複数の電圧誘導コイルエレメントのうちの第１の電圧誘導コイルエレメントは、前記非オーバーラップ領域に配されており、
前記複数の電圧誘導コイルエレメントのうちの第２の電圧誘導コイルエレメントは、前記オーバーラップ領域に配されている、請求項３に記載のコイルシステム。
【請求項５】
前記複数の受信コイルエレメントのインピーダンス特性は、第１の角周波数において極大値を有し、
前記複数の電圧誘導コイルエレメントのインピーダンス特性は、前記第１の角周波数とは異なる第２の角周波数において極大値を有する、請求項３又は４に記載のコイルシステム。
【請求項６】
前記複数の受信コイルエレメントのインピーダンス特性は、第１の角周波数において極大値を有し、
前記複数の電圧誘導コイルエレメントのインピーダンス特性は、前記第１の角周波数において極大値を有する、請求項３又は４に記載のコイルシステム。
【請求項７】
前記電圧誘導手段の動作を制御する制御手段を有する、請求項１〜６のうちのいずれか一項に記載のコイルシステム。
【請求項８】
請求項１〜７のうちのいずれか一項に記載のコイルシステムを有するＭＲＩ装置。
【発明の詳細な説明】
【技術分野】
【０００１】
本発明は、ＭＲＩ（Magnetic Resonance Imaging）装置などに使用されるコイルシステム、およびＭＲＩ装置に関する。
【背景技術】
【０００２】
送信コイルから被検体にＲＦパルスを送信する場合、送信コイルの送信効率を低下させないように、受信コイルをディスエーブル状態に設定する必要がある。受信コイルをディスエーブル状態にできるようにするため、アクティブ型の受信コイルが知られている。アクティブ型の受信コイルは、ブロッキング回路と、ブロッキング回路にＤＣバイアスを供給するケーブルとを有している。ケーブルからブロッキング回路にＤＣバイアスが供給されると、受信コイルがディスエーブル状態に設定される。
【特許文献１】特願平７−５７１９０
【発明の開示】
【発明が解決しようとする課題】
【０００３】
上記の受信コイルは、コイルエレメントに接続されるケーブルの他に、ブロッキング回路にＤＣバイアスを供給するケーブルが必要となる。したがって、受信コイルに接続されるケーブルの数が多くなる。しかし、ケーブルの数が多くなると、受信コイルを被検体に設置するときの邪魔になるので、ケーブルの数はできるだけ少ないことが好ましい。
【０００４】
本発明は、上記の事情に鑑み、ケーブルの数を少なくすることができるコイルシステムを提供することを目的とする。
【課題を解決するための手段】
【０００５】
上記の目的を達成する本発明のコイルシステムは、
被検体にＲＦパルスを送信する送信コイル、
前記被検体からＭＲ信号を受信する受信コイルであって、コンデンサを有するコイルエレメントと、前記コンデンサの両端に接続されたブロッキング回路と、を有する受信コイル、および
電磁誘導によって前記コイルエレメントに電圧を生じさせることにより、前記ブロッキング回路を動作させる電圧誘導手段、
を有している。
【発明の効果】
【０００６】
本発明のコイルシステムは、受信コイルのコイルエレメントに、電磁誘導により電圧を生じさせる電圧誘導手段を有している。この電圧誘導手段により受信コイルのコイルエレメントに電圧が発生すると、ブロッキング回路が動作し、ブロッキング回路に接続されているコンデンサの両端が高インピーダンス状態になる。したがって、受信コイルをディスエーブル状態に設定することができる。
【０００７】
本発明のコイルシステムでは、電磁誘導により受信コイルのコイルエレメントに電圧が発生することにより、ブロッキング回路に接続されているコンデンサの両端が高インピーダンス状態になり、その結果、受信コイルがディスエーブル状態になる。したがって、本発明のコイルシステムでは、アクティブ型受信コイルで必要となるＤＣバイアス供給用のケーブルは不要となる。このため、受信コイルに接続されるケーブルの数を少なくすることができる。
【発明を実施するための最良の形態】
【０００８】
以下、図面を参照しながら、発明を実施するための最良の形態を詳細に説明する。尚、本発明は、発明を実施するための最良の形態に限定されるものではない。
【０００９】
図１は、ＭＲＩ（Magnetic Resonance Imaging）装置１００の斜視図である。
【００１０】
ＭＲＩ装置１００は、マグネットシステム１と、テーブル４と、を有している。
【００１１】
図２は、図１のＡ−Ａ断面図である。
【００１２】
テーブル４は、クレドール５を有している。クレドール５の上には、電圧誘導コイル６が敷かれている。
【００１３】
図３は、電圧誘導コイル６の斜視図である。
【００１４】
電圧誘導コイル６は、複数の電圧誘導コイルエレメントＬと、複数の電圧誘導コイルエレメントＬを収容するコイル筐体６１と、を有している。本実施形態では、複数の電圧誘導コイルエレメントＬは、全てループコイルエレメントである。しかし、ループコイルエレメント以外のコイルエレメント（例えば、８の字コイルエレメント）や、異なる種類のコイルエレメントの組合せ（例えば、ループコイルエレメントと８の字コイルエレメントとの組合せ）であってもよい。また、本実施形態では、電圧誘導コイルエレメントＬは、３列に配列されているが、別の配列パターンでもよい。
【００１５】
各電圧誘導コイルエレメントＬは、マグネットシステム１に内蔵された電源８（図２参照）に接続されている。電源８から各電圧誘導コイルエレメントＬに電圧が印加されると、各電圧誘導コイルエレメントＬに電流が流れ、この結果、各電圧誘導コイルエレメントＬから磁界が発生する。
【００１６】
電圧誘導コイル６の上には受信コイル７が配されている。
【００１７】
図４は、受信コイル７の斜視図である。
【００１８】
受信コイル７は、９個の受信コイルエレメント７１〜７９と、これらの受信コイルエレメント７１〜７９を収容するコイル筐体７０と、を有している。これらの受信コイルエレメント７１〜７９の各々は、受信コイルエレメント間のカップリングを低減するために、隣接する受信コイルエレメントと一部が重なるように配されている。
【００１９】
図５は、受信コイルエレメント７１の具体的な回路構成を示す図である。
【００２０】
受信コイルエレメント７１は、コイルエレメント片７１ａおよび７１ｂを有している。コイルエレメント片７１ａおよび７１ｂは、コンデンサＣ１およびＣ２によって電気的に接続されている。また、受信コイルエレメント７１は、ブロッキング回路ＢＬを有している。ブロッキング回路ＢＬは、コンデンサＣ２の両端に接続されている。ブロッキング回路ＢＬは、反対方向に向けられた２つのダイオードＤ１およびＤ２と、２つのダイオードＤ１およびＤ２に接続されたインダクタEと、を有している。
【００２１】
受信コイルエレメント７１は、上記のように構成されている。他の受信コイルエレメント７２〜７９も、図５と同様の回路構成を有している。本実施形態では、受信コイルエレメント７１〜７９は、全てループコイルエレメントである。しかし、ループコイルエレメント以外のコイルエレメント（例えば、８の字コイルエレメント）や、異なる種類のコイルエレメントの組合せ（例えば、ループコイルエレメントと８の字コイルエレメントとの組合せ）であってもよい。また、本実施形態では、受信コイルエレメント７１〜７９は、３行３列に配列されているが、別の配列パターンを有していてもよい。
【００２２】
次に、受信コイル７が電圧誘導コイル６に対してどのように配置されているかについて、図６および図７を参照しながら説明する。
【００２３】
図６は、電圧誘導コイル６と、電圧誘導コイル６に重ねられた受信コイル７と、を示す斜視図である。
【００２４】
電圧誘導コイル６の幅Ｄ１は、受信コイル７の幅Ｄ２とほぼ同じ長さである。受信コイル７は、電圧誘導コイル６の側部６１ａおよび６１ｂからはみ出ないように配されている。
【００２５】
図７は、図６の領域Ｒを上面から見た拡大図である。
【００２６】
図７には、受信コイル７が有する９個の受信コイルエレメント７１〜７９の他に、電圧誘導コイル６が有する一部の電圧誘導コイルエレメントＬ１〜Ｌ３０も図示されている。
【００２７】
３つの受信コイルエレメント７１、７２、および７３は、電圧誘導コイルエレメントＬ１〜Ｌ１０の列の上に配されている。
【００２８】
図８は、図７のＡ−Ａ断面図である。
【００２９】
受信コイルエレメント７１の内側には、３つの電圧誘導コイルエレメントＬ２、Ｌ３、およびＬ４が位置している。受信コイルエレメント７１は、受信コイルエレメント７２と重ならない非オーバーラップ領域NON1と、受信コイルエレメント７２の一部と重なるオーバーラップ領域OL１と、を有している。電圧誘導コイルエレメントＬ２およびＬ３は、非オーバーラップ領域NON1に配されており、電圧誘導コイルエレメントＬ４は、オーバーラップ領域OL1に配されている。
【００３０】
受信コイルエレメント７２の内側には、３つの電圧誘導コイルエレメントＬ４、Ｌ５、およびＬ６が位置している。受信コイルエレメント７２は、オーバラップ領域OL1の他に、受信コイルエレメント７１および７３と重ならない非オーバーラップ領域NON2と、受信コイルエレメント７３の一部と重なるオーバーラップ領域OL2と、を有している。電圧誘導コイルエレメントＬ５は、非オーバーラップ領域NON2に配されており、電圧誘導コイルエレメントＬ６は、オーバーラップ領域OL2に配されている。
【００３１】
受信コイルエレメント７３の内側には、３つの電圧誘導コイルエレメントＬ６、Ｌ７、およびＬ８が位置している。受信コイルエレメント７３は、オーバーラップ領域OL2の他に、受信コイルエレメント７１および７２と重ならない非オーバーラップ領域NON3と、を有している。電圧誘導コイルエレメントＬ７およびＬ８は、非オーバーラップ領域NON3に配されている。
【００３２】
電圧誘導コイルＬ１は、電源８（図２参照）から電圧が供給されると電流が流れる。電源８は、電圧印加方向を反転させることができ、したがって、電圧誘導コイルＬ１に流れる電流の方向を、矢印ＤＲ１方向又は矢印ＤＲ２方向（図７参照）に切り替えることができる。他の電圧誘導コイルＬ２〜Ｌ１０も同様である。
【００３３】
尚、受信コイルエレメント７４、７５、および７６と電圧誘導コイルエレメントＬ１１〜Ｌ２０との関係、および受信コイルエレメント７７、７８、および７９と電圧誘導コイルエレメントＬ２１〜Ｌ３０との関係も、同様に説明することができる。
【００３４】
受信コイル７は、電圧誘導コイル６に対して、図７および図８を参照しながら説明した位置関係を満たすように配されている。
【００３５】
図２に戻って説明を続ける。
【００３６】
被検体１０は、上記のように構成された電圧誘導コイル６および受信コイル７の上に寝かされている。受信コイル７は、被検体１０の背中１０ａと電圧誘導コイル６との間に挟まれている。被検体１０を寝かせた後、被検体１０をマグネットシステム１のボア２に搬入する。
【００３７】
図９は、被検体１０がボア２に搬入された様子を示す図である。
【００３８】
被検体１０がボア２に搬入された後、送信コイル３から、ＲＦパルスが送信される。
【００３９】
図１０は、送信コイル３のインピーダンス特性の一例を示す図である。
【００４０】
本形態では、送信コイル３のインピーダンス特性Ａ１は、角周波数ω0においてインピーダンスＺが極大値を有している。このようなインピーダンス特性Ａ１を有する送信コイル３から、ＲＦパルスが送信される。ただし、受信コイル７がイネーブル状態のままで送信コイル３からＲＦパルスを送信すると、送信コイル３の送信効率が低下する。したがって、送信コイル３からＲＦパルスを送信する前に、受信コイル７をディスエーブル状態に設定する。受信コイル７をディスエーブル状態に設定するため、ＭＲＩ装置１００は、以下のように動作する。
【００４１】
先ず、ＭＲＩ装置１００は、電源８から電圧誘導コイル６に電圧を供給する。
【００４２】
図１１は、電源８からどのように電圧誘導コイル６に電圧が供給されるかを説明する図である。
【００４３】
電源８は、電圧誘導コイル６が有する複数の電圧誘導コイルエレメントＬのうち、９個の電圧誘導コイルエレメント（Ｌ４、Ｌ６、Ｌ８、Ｌ１４、Ｌ１６、Ｌ１８、Ｌ２４、Ｌ２６、およびＬ２８）にのみ電圧を供給する。図１１には、複数の電圧誘導コイルエレメントＬのうち、電源８から電圧が供給される９個の電圧誘導コイルエレメントＬ４〜Ｌ２８のみが図示されており、電源８から電圧が供給されない他の電圧誘導コイルエレメントは図示省略されている。９個の電圧誘導コイルエレメントＬ４〜Ｌ２８は、いずれも、矢印方向ＤＲ１に電流が流れるように電圧が印加されている。
【００４４】
９個の受信コイルエレメント７１〜７９は、９個の電圧誘導コイルエレメントＬ４〜Ｌ２８から受ける磁気的作用によって、ディスエーブル状態に設定される。どの受信コイルエレメント７１〜７９も、ディスエーブル状態に設定される原理は同じであるので、以下では、３つの受信コイルエレメント７１、７２、および７３がどのようにディスエーブル状態に設定されるかについて説明する。
【００４５】
図１２は、受信コイルエレメント７１、７２、および７３がどのようにしてディスエーブル状態に設定されるかを説明する図である。
【００４６】
図１２（ａ）は、図１１に示す受信コイルエレメント７１、７２、および７３の拡大図、図１２（ｂ）は、図１２（ａ）のＡ−Ａ断面図である。図１２（ａ）には、各受信コイルエレメント７１、７２、および７３の回路構成（図５参照）が具体的に示されている。
【００４７】
受信コイルエレメント７１、７２、および７３は、それぞれ電圧誘導コイルエレメントＬ４、Ｌ６、およびＬ８から受ける磁気的作用によって、ディスエーブル状態に設定される。先ず、受信コイルエレメント７１がどのようにしてディスエーブル状態に設定されるかについて説明する。
【００４８】
受信コイルエレメント７１のコイルエレメント片７１ａの近傍には、電圧誘導コイルエレメントＬ４が位置している。電圧誘導コイルエレメントＬ４には矢印方向ＤＲ１に電流が流れるので、電圧誘導コイルエレメントＬ４で囲まれた面を貫く磁場が発生する。図１２には、電圧誘導コイルエレメントＬ４で囲まれた面を貫く磁場として、２つの磁場Ｂ４およびＢ４’が示されている。
【００４９】
磁場Ｂ４’は、受信コイルエレメント７１の内側に形成されている。したがって、磁場Ｂ４’が発生しても、受信コイルエレメント７１を貫く磁束密度は変化しない。しかし、磁場Ｂ４は、受信コイルエレメント７１の内側から、外側を経由して、再び内側に戻るループを形成する（図１２（ｂ）参照）。したがって、磁場Ｂ４により、受信コイルエレメント７１を貫く磁束密度が変化し、この結果、受信コイルエレメント７１に起電力が発生する。この起電力により、受信コイルエレメント７１のインピーダンス特性が変化する。
【００５０】
図１３は、起電力発生前の受信コイルエレメント７１のインピーダンス特性と、起電力発生後の受信コイルエレメント７１のインピーダンス特性と、を示すグラフである。
【００５１】
グラフの実線は、起電力発生前の受信コイルエレメント７１のインピーダンス特性Ａ３であり、グラフの一点鎖線は、起電力発生後の受信コイルエレメント７１のインピーダンス特性Ａ４である。
【００５２】
起電力発生前の受信コイルエレメント７１のインピーダンス特性Ａ３は、送信コイル３が送信するＲＦパルスの角周波数ω0（図１０のインピーダンス特性Ａ１参照）において、インピーダンスＺが極大値を有するように設定されている。
【００５３】
しかし、受信コイルエレメント７１に起電力が発生すると、ブロッキング回路ＢＬが動作し、受信コイルエレメント７１のコンデンサＣ２（図１２（ａ）参照）は高インピーダンス状態になる。この結果、ブロッキング回路ＢＬに電流が流れる。したがって、受信コイルエレメント７１は、インピーダンス特性Ａ３からＡ４に変化する。インピーダンス特性Ａ４は、角周波数ω0とは別の角周波数ω1に、インピーダンスＺの極大値を有している。このようにして、受信コイルエレメント７１はディスエーブル状態に設定される。
【００５４】
次に、受信コイルエレメント７２をディスエーブル状態に設定する動作について説明する。
【００５５】
受信コイルエレメント７２をディスエーブル状態に設定する動作についても、受信コイルエレメント７１と同様に説明できる。
【００５６】
受信コイルエレメント７２のコイルエレメント片７２ａの近傍には、電圧誘導コイルエレメントＬ６が位置している。図１２には、電圧誘導コイルエレメントＬ６で囲まれた面を貫く磁場として、２つの磁場Ｂ６およびＢ６’が示されている。
【００５７】
磁場Ｂ６’は、受信コイルエレメント７２の内側に形成されているので、磁場Ｂ６’が発生しても、受信コイルエレメント７２に起電力は発生しない。しかし、磁場Ｂ６は、受信コイルエレメント７２の内側から、外側を経由して、再び内側に戻るループを形成するので、磁場Ｂ６が発生すると、受信コイルエレメント７２に起電力が発生する。この起電力により、受信コイルエレメント７２は、インピーダンス特性Ａ３からＡ４に変化し（図１３参照）、受信コイルエレメント７２はディスエーブル状態に設定される。
【００５８】
尚、受信コイルエレメント７２の内側には、電圧誘導コイルエレメントＬ６だけでなく、磁場Ｂ４およびＢ４’を発生する電圧誘導コイルエレメントＬ４も配されている。磁場Ｂ４は、受信コイルエレメント７２の内側に形成されているので、磁場Ｂ４が発生しても、受信コイルエレメント７２に起電力は発生しない。また、磁場Ｂ４’は、受信コイルエレメント７２の内側から、外側を経由して、再び内側に戻るループを形成するので、磁場Ｂ４’が発生すると、受信コイルエレメント７２に起電力が発生する。磁場Ｂ４’により受信コイルエレメント７２に発生する起電力の向きは、磁場Ｂ６により受信コイルエレメント７２に発生する起電力の向きと同じである。したがって、磁場Ｂ４’が発生しても、磁場Ｂ６により受信コイルエレメント７２に発生する起電力は打ち消されることはないので、受信コイルエレメント７２は、確実にディスエーブル状態に設定される。
【００５９】
次に、受信コイルエレメント７３をディスエーブル状態に設定する動作について説明する。
【００６０】
受信コイルエレメント７３をディスエーブル状態に設定する動作については、受信コイルエレメント７２と同様に説明できる。
【００６１】
受信コイルエレメント７３のコイルエレメント片７３ａの近傍には、電圧誘導コイルエレメントＬ８が位置している。
【００６２】
電圧誘導コイルエレメントＬ８から発生する磁場Ｂ８は、受信コイルエレメント７３の内側から、外側を経由して、再び内側に戻るループを形成するので、磁場Ｂ８が発生すると、受信コイルエレメント７３に起電力が発生する。この起電力により、受信コイルエレメント７３は、インピーダンス特性Ａ３からＡ４に変化し（図１３参照）、受信コイルエレメント７３はディスエーブル状態に設定される。
【００６３】
尚、受信コイルエレメント７３の内側には、電圧誘導コイルエレメントＬ８だけでなく、磁場Ｂ６’を発生する電圧誘導コイルエレメントＬ６も配されている。磁場Ｂ６’により受信コイルエレメント７３に発生する起電力の向きは、磁場Ｂ８により受信コイルエレメント７３に発生する起電力の向きと同じである。したがって、磁場Ｂ６’が発生しても、磁場Ｂ８により受信コイルエレメント７３に発生する起電力は打ち消されることはないので、受信コイルエレメント７３は、確実にディスエーブル状態に設定される。
【００６４】
他の受信コイルエレメント７４〜７９についても、受信コイルエレメント７１〜７３と同様のやり方で、ディスエーブル状態に設定される。この結果、受信コイル７は、ディスエーブル状態に設定される。
【００６５】
受信コイル７がディスエーブル状態に設定された後、送信コイル３からＲＦパルスが送信される。
【００６６】
送信コイル３のインピーダンス特性Ａ１と、受信コイル７のインピーダンス特性Ａ４とを比較すると、インピーダンスＺがピークになる角周波数が異なっている。したがって、受信コイル７が送信コイル３の送信効率を低下させることが防止される。
【００６７】
尚、電圧誘導コイル６が、送信コイル３と同様に、角周波数ω0でインピーダンスＺがピークになるインピーダンス特性を有する場合、送信コイル３のインピーダンス特性Ａ１が、電圧誘導コイル６の影響を受けて、別のインピーダンス特性Ａ２（図１０参照）に変化する恐れがある。この場合、受信コイル７の受信効率も低下するので、電圧誘導コイル６は、送信コイル３と異なる角周波数でインピーダンスＺがピークになるインピーダンス特性を有することが好ましい。ただし、送信コイル３のインピーダンス特性が実質的に変化しないのであれば、電圧誘導コイル６は、送信コイル３と同様に、角周波数ω0でインピーダンスＺがピークになるインピーダンス特性を有していてもよい。
【００６８】
上記の実施形態では、電圧誘導コイル６が発生する磁場によって、受信コイル７をディスエーブル状態に設定している。したがって、本実施形態では、アクティブ型受信コイルで必要となるＤＣバイアス供給用のケーブルは不要となる。このため、受信コイル７に接続されるケーブルの数を少なくすることができる。
【００６９】
また、上記の実施形態では、受信コイル７は、電圧誘導コイル６が発生する磁場がトリガとなって、ディスエーブル状態に設定される。一方、従来より、送信コイルが送信するＲＦパルスがトリガとなってディスエーブル状態に設定されるパッシブ型受信コイルが知られている。しかし、従来のパッシブ型受信コイルは、送信コイルがＲＦパルスを送信しなければディスエーブル状態に設定されないので、送信コイルがＲＦパルスを送信した直後は、送信コイルと受信コイルとの相互作用により、送信コイルの送信効率が低下する恐れがある。これに対して、本形態では、受信コイル７は、送信コイル３が発生するＲＦパルスではなく、電圧誘導コイル６が発生する磁場によって、ディスエーブル状態に設定される。電圧誘導コイル６は、電源８によって、送信コイル３がＲＦパルスを送信する前に磁場を発生するので、受信コイル６は、送信コイル３がＲＦパルスを送信する前に確実にディスエーブル状態に設定される。したがって、本実施形態によれば、送信コイル３の送信効率の低下が防止される。
【００７０】
また、上記の実施形態では、各受信コイルエレメント７１〜７９に交差する磁場を発生させるために、電源８は、９個の電圧誘導コイルエレメントＬ４〜Ｌ２８に、矢印方向ＤＲ１に電流が流れるように電圧を印加している（図１１参照）。しかし、９個の電圧誘導コイルエレメントＬ４〜Ｌ２８の全て又は一部について、矢印方向ＤＲ１とは逆方向ＤＲ２（図７参照）に電流が流れるようにしてもよい。例えば、電圧誘導コイルエレメントＬ４、Ｌ６、Ｌ８、Ｌ２４、Ｌ２６、およびＬ２８については、矢印方向ＤＲ１に電流が流れるが、電圧誘導コイルエレメントＬ１４、Ｌ１６、およびＬ１８については、逆方向ＤＲ２（図７参照）に電流が流れるようにしてもよい。このように、各電圧誘導コイルエレメントを流れる電流の方向は、いろいろな組合せがあり得る。
【００７１】
尚、上記の実施形態では、電圧誘導コイル６が有する複数の電圧誘導コイルエレメントＬのうち、９個のコイルエレメントＬ４〜Ｌ２８の組合せを用いて、受信コイル７をディスエーブル状態に設定している（図１１参照）。しかし、コイルエレメントの別の組合せを使用して受信コイル７をディスエーブル状態に設定することもできる。以下に、コイルエレメントの別の組合せを使用して受信コイル７をディスエーブル状態に設定する例について説明する。
【００７２】
図１４は、受信コイル７をディスエーブル状態に設定する場合に使用されるコイルエレメントの組合せの別の例を示す図である。
【００７３】
図１４では、受信コイルエレメント７１、７２、７３、７７、７８、および７９は、図１１と同様に、電圧誘導コイルエレメントＬ４、Ｌ６、Ｌ８、Ｌ２４、Ｌ２６、およびＬ２８によって、ディスエーブル状態に設定される。しかし、受信コイルエレメント７４、７５、および７６は、図１１とは異なり、それぞれ電圧誘導コイルエレメントＬ１２、Ｌ１４およびＬ１６によってディスエーブル状態に設定される。このように、受信コイル７をディスエーブル状態に設定するコイルエレメントの組合せは、種々のパターンがあり得る。
【００７４】
尚、本実施形態では、電圧誘導コイル６はクレドール５の上に置かれている。しかし、電圧誘導コイル６の複数のコイルエレメントＬをクレドール５の中に埋め込むことにより、クレドール５が電圧誘導コイル６の役割を兼ねるようにしてもよい。
【００７５】
また、本実施形態では、ブロッキング回路ＢＬは、２つのダイオードＤ１およびＤ２とインダクタEとの組合せ（図５参照）により構成されている。しかし、コンデンサＣ２を高インピーダンス状態にできるのであれば、ブロッキング回路ＢＬの構造は、図５に示す構造とは異なる構造を有していてもよい。
【図面の簡単な説明】
【００７６】
【図１】ＭＲＩ装置１００の斜視図である。
【図２】図１のＡ−Ａ断面図である。
【図３】電圧誘導コイル６の斜視図である。
【図４】受信コイル７の斜視図である。
【図５】受信コイルエレメント７１の具体的な回路構成を示す図である。
【図６】電圧誘導コイル６と、電圧誘導コイル６に重ねられた受信コイル７と、を示す斜視図である。
【図７】図６の領域Ｒを上面から見た拡大図である。
【図８】図７のＡ−Ａ断面図である。
【図９】被検体１０がボア２に搬入された様子を示す図である。
【図１０】送信コイル３のインピーダンス特性の一例を示す図である。
【図１１】電源８からどのように電圧誘導コイル６に電圧が供給されるかを説明する図である。
【図１２】受信コイルエレメント７１、７２、および７３がどのようにしてディスエーブル状態に設定されるかを説明する図である。
【図１３】起電力発生前の受信コイルエレメント７１のインピーダンス特性と、起電力発生後の受信コイルエレメント７１のインピーダンス特性と、を示すグラフである。
【図１４】受信コイル７をディスエーブル状態に設定する場合に使用されるコイルエレメントの組合せの別の例を示す図である。
【符号の説明】
【００７７】
１  マグネットアセンブリ
２  ボア
３  送信コイル
４  テーブル
５  クレドール
６  電圧誘導コイル
７  受信コイル
８  電源
１０  被検体
１０ａ  背中
６１、７０  コイル筐体
６１ａ、６１ｂ  側部
７１、７２、７３、７４、７５、７６、７７、７８、７９  コイルエレメント
７１ａ、７１ｂ  コイルエレメント片
１００  ＭＲＩ装置
【図１】
0005405017.tif 000002
【図２】
0005405017.tif 000003
【図３】
0005405017.tif 000004
【図４】
0005405017.tif 000005
【図５】
0005405017.tif 000006
【図６】
0005405017.tif 000007
【図７】
0005405017.tif 000008
【図８】
0005405017.tif 000009
【図９】
0005405017.tif 000010
【図１０】
0005405017.tif 000011
【図１１】
0005405017.tif 000012
【図１２】
0005405017.tif 000013
【図１３】
0005405017.tif 000014
【図１４】
0005405017.tif 000015